(57)【特許請求の範囲】
【請求項１】
任意の条件でのジョブを要求するジョブ要求手段と、ユーザを識別するユーザコードを入力するユーザコード入力手段と、前記ジョブ要求手段によって任意の条件でのジョブが要求されたとき、そのジョブを実行する通常ジョブ実行手段と、該通常ジョブ実行手段によるジョブの実行中に、任意の条件での別のジョブを予約するジョブ予約手段と、前記通常ジョブ実行手段によるジョブの実行中に、前記ユーザコード入力手段によってユーザコードが入力され、そのユーザコードと予め登録されているユーザコードとが一致した場合にのみ、前記ジョブ予約手段による別のジョブの予約を受け付ける予約受付手段と、前記通常ジョブ実行手段によるジョブの実行が終了した後、前記ジョブ予約手段によって予約されたジョブを実行する予約ジョブ実行手段と、前記ジョブ予約手段によって予約されたジョブが複数存在する場合に、その予約順を入れ替える予約順入替手段とを有する画像形成装置において、
前記ジョブ予約手段によって別のジョブが予約された後、前記ユーザコード入力手段によってユーザコードが入力され、そのユーザコードと前記予約時に入力されたユーザコードとが一致した場合にのみ、前記予約順入替手段による前記予約されたジョブの予約順の入れ替えを、前記予約時に入力されたユーザコードと同一のユーザコードを有するジョブ同士の入れ替えに対してのみ許可する入替許可手段とを設けたことを特徴とする画像形成装置。
【請求項２】
請求項１記載の画像形成装置において、
原稿の画像情報を読み取る画像読取手段と、該手段によって読み取られた画像情報を記憶する画像記憶手段と、前記画像読取手段によって読み取られた画像情報を用紙上に画像形成する画像形成手段とを備え、
前記予約ジョブ実行手段は、前記通常ジョブ実行手段によって実行するジョブとしてのコピーのうち、前記画像読取手段による画像情報の読み取りが終了した後、前記ジョブ予約手段によって別のコピーが予約されている場合に、前記画像読取手段に原稿の画像情報の読み取りを開始させて、その画像情報を前記画像記憶手段に記憶させ、前記通常ジョブ実行手段によるコピーが終了した後、前記画像記憶手段に記憶させておいた画像情報を前記画像形成手段に出力して画像形成を行なわせる手段であることを特徴とする画像形成装置。
【請求項３】
任意の条件でのジョブを要求するジョブ要求手段と、ユーザを識別するユーザコードを入力するユーザコード入力手段と、前記ジョブ要求手段によって任意の条件でのジョブが要求されたとき、そのジョブを実行する通常ジョブ実行手段と、該通常ジョブ実行手段によるジョブの実行中に、任意の条件での別のジョブを予約するジョブ予約手段と、前記通常ジョブ実行手段によるジョブの実行中に、前記ユーザコード入力手段によってユーザコードが入力され、そのユーザコードと予め登録されているユーザコードとが一致した場合にのみ、前記ジョブ予約手段による別のジョブの予約を受け付ける予約受付手段と、前記通常ジョブ実行手段によるジョブの実行が終了した後、前記ジョブ予約手段によって予約されたジョブを実行する予約ジョブ実行手段と、前記ジョブ予約手段によって予約されたジョブが複数存在する場合に、その予約順を入れ替える予約順入替手段とを有する画像形成装置の予約ジョブ入れ替え方法において、
前記ジョブ予約手段によって別のジョブが予約された後、前記ユーザコード入力手段によってユーザコードが入力され、そのユーザコードと前記予約時に入力されたユーザコードとが一致した場合にのみ、前記予約順入替手段による前記予約されたジョブの予約順の入れ替えを、前記予約時に入力されたユーザコードと同一のユーザコードを有するジョブ同士の入れ替えに対してのみ許可することを特徴とする予約ジョブ入れ替え方法。
【発明の詳細な説明】
【０００１】
【発明の属する技術分野】
この発明は、デジタル複写機，デジタル複合機等の画像形成装置に関し、特に予約ジョブ機能（予約コピー機能）を有する画像形成装置およびその予約ジョブ入れ替え方法に関する。
【０００２】
【従来の技術】
従来、予約コピー機能を有する画像形成装置では、原稿の画像情報を読み取るスキャナ（画像読取手段）と、スキャナによって読み取られた画像情報を記憶する画像メモリ（画像記憶手段）と、スキャナによって読み取られた画像情報を用紙上に画像形成するプリンタ（画像形成手段）とを備え、スキャナとプリンタとを非同期に動作させることにより、プリンタが動作不能の時や画像形成動作中（ジョブの実行中）であっても、任意の機能（条件）でのコピーを予約してスキャナに原稿の画像情報の読み取りを行なわせることができる。
【０００３】
このような画像形成装置として、例えば特開平８−５５２２８号公報に見られるように、第１のジョブの動作中にも第２のジョブに対する機能設定および実行指示を行なうことができ、第１のジョブの記録動作（画像形成動作）と第２の読取動作（原稿の画像情報を読み取る動作）を並行して実行させることができるものが提案されている。
【０００４】
また、例えば特開平８−８４２１６号公報に見られるように、複数のコピーを予約でき、その予約コピーの実行順（予約順）の入れ替え、予約コピーの取り消し、予約コピーの条件変更が可能なものも提案されている。
【０００５】
さらに、例えば特開平２−２４８９６６号公報に見られるように、使用者（ユーザ）を制限するために、当該画像形成装置の使用前に予め部門毎に指定コード（ユーザコード）を登録しておき、当該画像形成装置の使用時に入力されたユーザコードと一致するものが登録されている場合にのみ、当該画像形成装置の使用を許可するようにしたものも提案されている。
【０００６】
このような画像形成装置では、ユーザコード毎に画像形成枚数（コピー枚数）を計数し、ユーザ毎にコピー枚数の管理も行なえるようになっている。
このようなユーザコード管理状況下において、複数の使用者がそれぞれ予約コピーを行なう場合は、そのコピーを予約する際にユーザコードの入力が必要となる。
【０００７】
【発明が解決しようとする課題】
しかしながら、各ユーザコード別のコピーの予約後、それらのコピーの条件変更，取り消し，予約順の入れ替え等の処理が他のユーザコードに対して可能であると、意図しないコピー結果となったり、コピー結果の出来上がりの時間が遅くなったり、強いてはコピー結果が得られないという不具合が生じることが考えられる。
【０００８】
この発明は上記の点に鑑みてなされたものであり、各ユーザコード別の予約ジョブの予約順の入れ替えが不用意に行なえないようにすることにより、ユーザコード管理下においても予約ジョブを正しく行なえるようにすることを目的とする。
【０００９】
【課題を解決するための手段】
この発明は、上記の目的を達成するため、画像形成装置およびその予約ジョブ入れ替え方法を提供する。
この発明による画像形成装置は、任意の条件でのジョブを要求するジョブ要求手段と、ユーザを識別するユーザコードを入力するユーザコード入力手段と、ジョブ要求手段によって任意の条件でのジョブが要求されたとき、そのジョブを実行する通常ジョブ実行手段と、該通常ジョブ実行手段によるジョブの実行中に、任意の条件での別のジョブを予約するジョブ予約手段と、通常ジョブ実行手段によるジョブの実行中に、ユーザコード入力手段によってユーザコードが入力され、そのユーザコードと予め登録されているユーザコードとが一致した場合にのみ、ジョブ予約手段による別のジョブの予約を受け付ける予約受付手段と、通常ジョブ実行手段によるジョブの実行が終了した後、ジョブ予約手段によって予約されたジョブを実行する予約ジョブ実行手段と、ジョブ予約手段によって予約されたジョブが複数存在する場合に、その予約順を入れ替える予約順入替手段とを有する画像形成装置において、次のようにしたことを特徴とする。
【００１２】
すなわち、ジョブ予約手段によって別のジョブが予約された後、ユーザコード入力手段によってユーザコードが入力され、そのユーザコードと上記予約時に入力されたユーザコードとが一致した場合にのみ、予約順入替手段による上記予約されたジョブの予約順の入れ替えを、上記予約時に入力されたユーザコードと同一のユーザコードを有するジョブ同士の入れ替えに対してのみ許可する入替許可手段とを設けたものである。
【００１３】
請求項２の発明は、請求項１の画像形成装置において、原稿の画像情報を読み取る画像読取手段と、該手段によって読み取られた画像情報を記憶する画像記憶手段と、前記画像読取手段によって読み取られた画像情報を用紙上に画像形成する画像形成手段とを備え、予約ジョブ実行手段を、通常ジョブ実行手段によって実行するジョブとしてのコピーのうち、画像読取手段による画像情報の読み取りが終了した後、ジョブ予約手段によって別のコピーが予約されている場合に、画像読取手段に原稿の画像情報の読み取りを開始させて、その画像情報を画像記憶手段に記憶させ、通常ジョブ実行手段によるコピーが終了した後、画像記憶手段に記憶させておいた画像情報を画像形成手段に出力して画像形成を行なわせる手段としたものである。
【００１４】
この発明による予約ジョブ入れ替え方法は、任意の条件でのジョブを要求するジョブ要求手段と、ユーザを識別するユーザコードを入力するユーザコード入力手段と、ジョブ要求手段によって任意の条件でのジョブが要求されたとき、そのジョブを実行する通常ジョブ実行手段と、該通常ジョブ実行手段によるジョブの実行中に、任意の条件での別のジョブを予約するジョブ予約手段と、通常ジョブ実行手段によるジョブの実行中に、ユーザコード入力手段によってユーザコードが入力され、そのユーザコードと予め登録されているユーザコードとが一致した場合にのみ、ジョブ予約手段による別のジョブの予約を受け付ける予約受付手段と、通常ジョブ実行手段によるジョブの実行が終了した後、ジョブ予約手段によって予約されたジョブを実行する予約ジョブ実行手段と、ジョブ予約手段によって予約されたジョブが複数存在する場合に、その予約順を入れ替える予約順入替手段とを有する画像形成装置の予約ジョブ入れ替え方法において、次のようにしたことを特徴とする。
【００１５】
すなわち、ジョブ予約手段によって別のジョブが予約された後、ユーザコード入力手段によってユーザコードが入力され、そのユーザコードと上記予約時に入力されたユーザコードとが一致した場合にのみ、予約順入替手段による上記予約されたジョブの予約順の入れ替えを、上記予約時に入力されたユーザコードと同一のユーザコードを有するジョブ同士の入れ替えに対してのみ許可するものである。
【００１６】
【発明の実施の形態】
以下、この発明の実施形態を図面に基づいて具体的に説明する。
図２は、この発明を実施するデジタル複写機の機構部の一例を示す概略構成図である。
【００１７】
このデジタル複写機において、自動原稿給送装置（以下「ＡＤＦ」という）１に設けられている原稿台２に画像面を上にして置かれた原稿束は、図３の操作部３０上のプリントキー３４が押下されると、一番下の原稿から１枚ずつ順次給送ローラ３，給送ベルト４によってコンタクトガラス６上に給送され、所定の位置にセットされる。そのセットされた原稿は、画像読取手段としてのスキャナ（読み取りユニット）５０によって画像情報が読み取られ、その読み取りが終了した後、給送ベルト４および排送ローラ５によって排出される。
【００１８】
なお、１枚の原稿の画像情報の読み取りが終了する毎に、原稿セット検知センサ７にて原稿台２上に次の原稿があるかないかを検知し、あればその原稿を前の原稿と同様にコンタクトガラス６上に給送し、以後上述と同様の動作を行なう。また、給送ローラ３，給送ベルト４，排送ローラ５は図示しない搬送モータによって駆動される。
【００１９】
第１給紙トレイ８，第２給紙トレイ９，第３給紙トレイ１０に積載された転写紙は、それぞれ第１給紙装置１１，第２給紙装置１２，第３給紙装置１３によって給紙され、縦搬送ユニット１４によって感光体ドラム１５に当接する位置まで搬送される。但し、実際には各給紙トレイ８〜１０のうちのいずれか１つが選択され、そこから転写紙が給紙される。
【００２０】
スキャナ５０によって読み込まれた画像情報（画像データ）はそのまま、あるいは画像記憶手段としての図１の画像メモリ６６に一旦記憶させた後、画像形成手段としてのプリンタ８０内の書き込みユニット５７に送られ、その書き込みユニット５７によりレーザビームとして感光体ドラム１５の予め帯電された面（図示しない帯電器によって帯電される）上に書き込まれ、その部分が現像ユニット２７を通過することにより、そこにトナー画像が形成される。
【００２１】
そして、選択された給紙トレイから給紙された転写紙は感光体ドラム１５の回転と等速で搬送ベルト（転写ベルト）１６によって搬送されながら、一方の面に感光体ドラム１５上のトナー画像が転写され、そのトナー画像が定着ユニット１７によって熱定着される。
その後、その転写紙は片面コピーモード時には排紙ユニット１８によって後処理装置であるフィニシャ１００に搬送される。
【００２２】
このとき、例えばフェースダウン（転写紙をページ順に揃えるため画像面を下向きにする）排紙のために、一方の面にトナー画像が形成された転写紙を反転したい場合、その転写紙は排紙ユニット１８により両面入紙搬送路１１３に搬送され、反転ユニット１１２でスイッチバック反転された後、反転排紙搬送路１１４を通ってフィニシャ１００に搬送される。
【００２３】
フィニシャ１００では、複写機本体から送られてくる一方の面にトナー画像（画像情報）が形成された転写紙、つまり片面コピー済みの転写紙は、分岐偏向板１０１によりスタッカ搬送ローラ１０２側又はステープラ搬送ローラ１０５側へ選択的に導かれる。
【００２４】
すなわち、分岐偏向板１０１が上向きに切り替えられている場合には、複写機本体からの転写紙をスタッカ搬送ローラ１０２およびスタッカ排紙ローラ１０３を経由してスタッカトレイ１０４に排出することができる。
スタッカトレイ１０４は前後に移動可能な排紙トレイであり、原稿毎あるいは画像メモリ６６を用いてソーティングされたコピー部毎に前後に移動し、排出される転写紙（コピー紙）を簡易的に仕分けするものである。
【００２５】
分岐偏向板１０１が下向きに切り替えられている場合には、複写機本体から送られてくる片面コピー済みの転写紙をステープラ搬送ローラ１０５およびステープラ排紙ローラ１０７を経由してステープルトレイ１０８に排出することができる。
【００２６】
ステープルトレイ１０８上では、転写紙が１枚排出される毎に、その端部が揃え用のジョガー（落下ストッパ）１０９によって揃えられ、１部のコピー完了によりステープラ１０６によって綴じられる。ステープラ１０６で綴じられた転写紙群は、自重によってステープル完了排紙トレイ（落下トレイ）１１０に収納される。
【００２７】
一方、両面コピーモード時には、一方の面にトナー画像が形成された転写紙（片面コピー済みの転写紙）は排紙ユニット１８により両面入紙搬送路１１３に搬送され、反転ユニット１１２でスイッチバック反転された後、両面搬送ユニット１１１に送られる。
【００２８】
両面搬送ユニット１１１に送られた転写紙は、再び感光体ドラム１５に作像されたトナー画像を転写するために、両面搬送ユニット１１１から再給紙され、再度縦搬送ユニット１４によって感光体ドラム１５に当接する位置まで搬送されて、他方の面にトナー画像が転写された後、定着ユニット１７によってトナー画像が定着され、排紙ユニット１８によってフィニシャ１００に搬送され、以後上述と同様の動作が行なわれる。
【００２９】
なお、感光体ドラム１５，搬送ベルト１６，定着ユニット１７，排紙ユニット１８，現像ユニット２７は図５のメインモータ２５によって駆動され、各給紙装置１１〜１３はメインモータ２５の駆動が各々図５の給紙クラッチ２２〜２４により伝達されて駆動される。縦搬送ユニット１４は、メインモータ２５の駆動が図５の中間クラッチ２１によって伝達されて駆動される。また、上述した書き込みユニット５７を含む画像形成処理用の各部が図１のプリンタ８０を構成している。
【００３０】
図３は、このデジタル複写機の操作部の構成例を示すレイアウト図である。
この操作部３０は、液晶タッチパネル３１，テンキー３２，クリア／ストップキー３３，プリントキー３４，予熱キー（モードクリアキー）３５，リセットキー３６，割り込みキー３７，初期設定キー３８，新規予約キー３９，およびジョブ一覧キー４０を備えている。
液晶タッチパネル３１は、液晶ディスプレイの表面にタッチパネルを備えており、機能キーや部数、機械の状態を示すメッセージ等を表示することができる。
【００３１】
操作部３０を備えたデジタル複写機では、割り込みキー３７の押下により割り込みモードに移行する。割り込みモードは、プリントキー３４の押下（コピー要求）によって開始されたコピー動作の実行中あるいは操作中において、一時的に他のコピー作業を割り込んで行なうときに使用するモードである。
そのため、割り込みキー３７が押下された場合は、その押下前のコピーモード（コピー条件）、あるいはコピー途中であればその途中経過情報を不揮発性ＲＡＭに記憶した後、割り込みモードに移行し、コピーモードを初期化する。
【００３２】
そして、プリントキー３４の押下により割り込みコピー動作を開始し、そのコピー動作が終了した後、割り込みキー３７の押下により割り込みモードを解除し、不揮発性ＲＡＭに記憶したコピーモードあるいはコピー途中経過情報を読み出して割り込みモード移行（設定）前の状態に復帰させ、プリントキー３４の押下により割り込み前のコピーモードでコピー動作を再開することができる。
【００３３】
初期設定キー３８が押下されると、機械の初期状態を任意にカスタマイズすることが可能である。
すなわち、機械に収納されている転写紙のサイズを設定したり、予熱キー３５を押した時（但しコピーモードをクリアするためのモードクリアキーとして使用された時）に設定される初期状態を任意に設定すること可能である。
【００３４】
また、キー操作が一定時間行なわれなかった場合に、優先して選択されるアプリケーション等も選択するとか、国際エネルギースター計画に従った低電力状態への移行時間の設定や、オートオフ／スリープモードへの移行時間の設定を行なうことが可能である。
【００３５】
予熱キー３５が約１秒以上押下されると、機械は待機状態から予熱状態に移行し、定着ユニット１７内の定着ローラの表面温度（定着温度）を低下させたり、操作部３０の表示を消灯する。
ここで、予熱状態は、国際エネルギースター計画でいう、低電力状態を意味している。
【００３６】
予熱状態やオフ状態／スリープ状態を解除し、待機状態に移行させる場合は、予熱キー３５を再度押下する。
新規予約キー３９は、予約コピーを行ないたいときに使用する。
ジョブ一覧キー４０は、動作中のコピージョブの一覧を表示したいときに使用する。新規予約キー３９およびジョブ一覧キー４０に関しては、追って詳細に説明する。
【００３７】
図４は、液晶タッチパネル３１に表示されるコピー条件設定画面の一例を示す図である。
オペレータ（使用者）が、液晶タッチパネル３１に表示されているコピー条件設定画面中のいずれかの機能キーにタッチすることにより、その機能キーの枠内に表示されている機能が選択され、その白黒表示が反転する。
【００３８】
また、機能の詳細を指定しなければならない場合（例えば変倍であれば変倍値等）は、その機能キーにタッチすることにより、詳細な機能の設定画面が表示される。
液晶タッチパネル３１は、ドット表示器を使用しているため、その時の最適な表示をグラフィカルに行なうことが可能である。
【００３９】
図４のコピー条件設定画面において、略中央の上部には「コピーできます」「お待ちください」等のメッセージを表示するメッセージエリアが設けられており、そのエリアの外側に画像濃度を自動的に調整する自動濃度キー、転写紙を自動的に選択する自動用紙選択キー、各給紙トレイのいずれかを選択するトレイキー，等倍の倍率を指定する等倍キー等の各機能キーが表示されている。
なお、選択されている機能を示す機能キーは、白黒表示が反転される（図４では網掛けで示す）。
【００４０】
図５は、このデジタル複写機の制御系の構成例を示すブロック図である。
メインコントローラ２０は、このデジタル複写機全体を統括的に制御する。
メインコントローラ２０には、オペレータに対する表示やオペレータによるキー入力の制御を行なう操作部３０，スキャナ５０の駆動部の制御や画像メモリ６６に対する画像データの読み書き制御等を行なう画像処理ユニット（ＩＰＵ）４９，原稿の給排送動作を行なうＡＤＦ１等の分散制御装置が接続されている。
【００４１】
その各分散制御装置とメインコントローラ２０は、必要に応じて機械の状態を示す情報や動作指令のやりとりを行なっている。
また、メインコントローラ２０には、紙搬送等に必要な各種クラッチ２１〜２４，メインモータ２５，及び複写機の前面にオペレータ（操作者）がいるかいないかを検知する人体検知センサ２９も接続されている。
【００４２】
次に、図２を用い、スキャナ５０によって原稿の画像情報を読み取り、その画像情報に対応する静電潜像を感光体ドラム１５の表面に形成するまでの動作を説明する。なお、静電潜像とは感光体ドラム１５の表面（帯電器によって帯電された面）に画像情報をレーザビームによって書き込むことにより生じる電位分布のことである。
【００４３】
スキャナ５０は、原稿を載置するコンタクトガラス６と光学走査系で構成されており、光学走査系は露光ランプ５１，第１ミラー５２，レンズ５３，ＣＣＤイメージセンサ５４等で構成されている。
露光ランプ５１および第１ミラー５２は図示しない第１キャリッジ上に固定され、第２ミラー５５および第３ミラー５６は図示しない第２キャリッジ上に固定されている。
【００４４】
原稿の画像情報を読み取るときには、光路長が変わらないように、第１キャリッジと第２キャリッジとが２対１の相対速度で機械的に走査される。
光学走査系は、図示しないスキャナ駆動モータを含む駆動部によって駆動される。
【００４５】
スキャナ５０は、原稿の画像情報を光学的に読み取って電気信号に変換する。すなわち、光学走査系の露光ランプ５１によって原稿の画像面を照明し、その画像面からの反射光像を第１ミラー５２，第２ミラー５５，第３ミラー５６，レンズ５３を介してＣＣＤイメージセンサ５４の受光面に結像させ、そのＣＣＤイメージセンサ５４によって電気信号としての画像情報に変換する。
【００４６】
このとき、レンズ５３およびＣＣＤイメージセンサ５４を図２の左右方向に移動させることにより、画像倍率が変わる。つまり、指定されたコピー倍率に対応してレンズ５３およびＣＣＤイメージセンサ５４の左右方向の位置が設定される。
【００４７】
書き込みユニット５７は、レーザ出力ユニット５８，結像レンズ５９，ミラー６０等で構成され、レーザ出力ユニット５８の内部にはレーザ光源であるレーザダイオードおよびモータによって高速で定速回転するポリゴンミラー（回転多面鏡）が備わっている。
レーザ出力ユニット５８より照射されるレーザビームは、定速回転するポリゴンミラーで偏向され、結像レンズ５９を通り、ミラー６０で折り返され、感光体ドラム１５の帯電面に集光されて結像される。
【００４８】
すなわち、ポリゴンミラーで偏向されたレーザビームは感光体ドラム１５が回転する方向と直交する方向（主走査方向）に露光走査され、図５の画像処理ユニット４９より出力される画像情報のライン単位の書き込みを行なう。感光体ドラム１５の回転速度と走査密度（記録密度）に対応する所定の周期で主走査を繰り返すことにより、感光体ドラム１５の帯電面に静電潜像が形成される。
【００４９】
なお、感光体ドラム１５上を走査する直前のレーザビームは図示しない同期検知センサによって検知される。そして、図示しないレーザ書込制御部が同期検知センサから出力される主走査同期信号を用い、１走査毎にレーザダイオードの点灯開始タイミングおよび画像情報の入出力を行なうための制御信号の生成を行なう。
【００５０】
図１は、画像処理ユニット（ＩＰＵ）４９の構成例を示すブロック図である。原稿面からの反射光像（画像）はＣＣＤイメージセンサ５４によって電気信号としての画像情報（画像データ）に変換され、さらにＡ／Ｄコンバータ６１によってアナログ値からデジタル値に変換される。デジタル値に変換された画像情報は、シェーディング補正部６２によってシェーディング補正がなされた後、画像処理部６３によってＭＴＦ補正およびγ補正等の画像処理がなされる。
【００５１】
画像処理部６３によって画像処理がなされた画像情報は、変倍処理部７２によって指定されたコピー変倍率に合わせて拡大又は縮小され、セレクタ６４に入力される。
セレクタ６４は、画像情報の送り先を切り替える。つまり、書き込みγ補正部７１又はメモリコントローラ６５を画像情報の送り先とする。
【００５２】
セレクタ６４から書き込みγ補正部７１に送られた画像情報は、そこで作像条件に応じて書き込みγが補正され、プリンタ８０の書き込みユニット５７に送られる。
メモリコントローラ６５とセレクタ６４との間は、双方向に画像情報を入出力可能な構成となっている。
【００５３】
ＣＰＵ６８は中央処理装置であり、メモリコントローラ６５を介して画像メモリ６６に対する画像情報の書き込みおよび読み出しを行なったり、スキャナ５０および書き込みユニット５７の制御を行なう。
ＲＯＭ６９は読み出し専用のメモリであり、ＣＰＵ６８を動作させるための制御プログラムを含む各種固定データを記憶している。
ＲＡＭ７０は読み書き可能なメモリであり、各種データを一時的に記憶する。
【００５４】
なお、画像処理ユニット４９には、スキャナ５０から入力される画像データ以外に、パーソナルコンピュータやファクシミリ装置等の外部装置から送られてくる画像データも処理できるように、複数の画像データを入力する回路（画像入力手段）も備えている。さらに、入力された画像データもしくは画像メモリ６６に記憶又は保存された画像データをプリンタ８０あるいは外部装置へ出力する回路（画像出力手段）も備えている。
【００５５】
メモリコントローラ６５へ送られた画像情報は、その内部にある画像圧縮部によって圧縮された後、画像メモリ６６に送られる。
ここで、画像情報を圧縮する理由について簡単に説明する。
最大画像サイズ分の２５６階調の画像情報をそのまま画像メモリ６６に書き込むことも可能であるが、１枚の原稿の画像情報で画像メモリ６６が大変多く使用される。
【００５６】
そのため、画像情報の圧縮を行なうことにより、限られた記憶容量の画像メモリ６６を有効に利用することができる。
また、圧縮を行なうことにより、一度に多くの原稿の画像情報を画像メモリ６６に蓄積（記憶）することができるため、ソート機能として、蓄積された原稿の画像情報（画像イメージデータ）をページ順に出力することができる。
【００５７】
このとき、画像メモリ６６から読み出した画像情報をメモリコントローラ６５内の画像伸長部によって順次伸長する。
このような機能は、一般に「電子ソート機能」と呼ばれている。
また、この電子ソート機能を利用して、複数枚の原稿の画像情報を、画像メモリ６６の転写紙１枚分のエリアを分割したエリアに順次読み込むことも可能となる。
【００５８】
例えば、４枚の原稿の画像情報を、画像メモリ６６の転写紙１枚分のエリアを４等分したエリアに順次書き込むことにより、４枚の原稿の画像情報を１枚の転写紙分の大きさに集約して合成し、その集約合成した画像情報を転写紙上に画像形成して出力することにより、４枚の原稿を集約したコピー結果を得ることが可能となる。
このような機能は一般に「集約コピー機能」と呼ばれている。
【００５９】
画像メモリ６６に書き込まれた画像情報は、ＣＰＵ６８からアクセス可能な構成となっている。
このため、画像メモリ６６の内容を加工することが可能であり、例えば画像情報の間引き処理や切り出し処理等の加工を行なうことができる。画像情報の加工は、メモリコントローラ６５内のレジスタに画像情報を書き込むことによって行なうことができる。加工された画像情報は再度画像メモリ６６に保持できる。
【００６０】
画像メモリ６６は、処理を行なう画像情報の大きさにより複数のエリアに分割し、複数の画像情報の入出力を同時に実行可能な構成をとっている。つまり、複数に分割したエリアに対して各画像情報の入力，出力をそれぞれ並列に実行可能にするために、メモリコントローラ６５と画像メモリ６６はリード用とライト用の二組のアドレス・データ線で接続されている。
それによって、あるエリアに画像情報を入力（ライト）する間に他のエリアより画像情報を出力（リード）するという動作が可能になる。
【００６１】
また、画像処理ユニット４９は、画像メモリ６６の内容をＣＰＵ６８が読み出し、Ｉ／Ｏポート６７を経由し、表示情報（表示データ）として操作部３０に転送することもできる。つまり、操作部３０の液晶タッチパネル３１の画面表示解像度は低いため、画像メモリ６６の原画像情報を間引きし、表示情報として操作部３０に転送することができる。
【００６２】
画像メモリ６６は、多くの画像情報を収納するため、ハードディスクが用いられることもある。ハードディスクを用いることにより、外部電源が不要で永久的に画像情報を保持することが可能となる。
複数の定型原稿（フォーマット原稿）の画像情報をスキャナ５０に読み込ませて保持するためには、このハードディスクを用いるのが一般的である。
【００６３】
ここで、図６を用いて、セレクタ６４における１ページ分の画像情報および制御信号について説明する。
／ＦＧＡＴＥ（「／」はローアクティブを示す）はフレームゲート信号であり、１ページの画像情報（画像データ）の副走査方向の有効期間を表わしている。
【００６４】
／ＬＳＹＮＣは１ライン毎の主走査同期信号であり、この信号が立ち上がった後の所定クロックで画像情報が有効となる。
／ＬＧＡＴＥはラインゲート信号であり、画情情報の主走査方向の有効期間を示す。
【００６５】
これらの信号は、画素クロック信号ＶＣＬＫに同期しており、その１周期に対して１画素８ビット（２５６階調）のデータが送られてくる。
このデジタル複写機では、転写紙への書込密度が４００ｄｐｉ、最大画素数が主走査４８００画素，副走査６８００画素である。画像情報は、階調が「２５５」に近いほど白くなるものとする。
【００６６】
次に、このデジタル複写機におけるユーザコードモード未設定時に通常のコピー動作および予約コピー動作を行なう場合のユーザによる操作手順について、図７〜図１３を参照して説明する。
【００６７】
図７に示す操作画面は通常コピー条件設定画面であり、画面上のキー操作によって任意のコピー条件（以下「ジョブ条件」ともいう）の設定を行なうことができる。
この通常コピー条件設定画面は、このデジタル複写機への電源投入後、ＣＰＵ６８により図３の操作部３０の液晶タッチパネル３１に表示される。
【００６８】
この通常コピー条件設定画面上のキー操作によって任意のコピー条件が設定された後、プリントキー３４を押下すると、液晶タッチパネル３１の表示画面は図８に示す操作画面に切り替わる。
また、プリントキー３４の押下により、設定された任意の条件でのコピーが要求され、少なくともスキャナ５０およびプリンタ８０を用いて通常のコピー動作（通常ジョブ）が実行される。
【００６９】
図８に示す操作画面はコピー動作中画面であり、現在実行中のコピーの条件を示している。この例では、次に行ないたいコピーの予約の登録（設定）が行なわれておらず、自動用紙選択キー，自動濃度キー，等倍キー，トレイ１（給紙動作中）等の押下による現在実行中の通常コピーの条件が設定されている。
このコピー動作中画面が液晶タッチパネル３１に表示されている時に、新規予約キー３９を押下すると、液晶タッチパネル３１の表示画面は図９に示す予約コピー条件設定画面に切り替わる。
【００７０】
この予約コピー条件設定画面上の各機能キーを押下することにより、次に行ないたいコピーの条件が設定され、プリントキー３４（他のキーでもよい）を押下することにより、その条件でのコピーが予約登録され、通常ジョブのうち、スキャナ５０による原稿の画像情報の読み取りが終了していれば、スキャナ５０による次の原稿の画像情報の読み取り動作が開始される。
【００７１】
また、解除キー２０１を押下することにより、予約登録されたコピー（予約コピー）が解除され、液晶タッチパネル３１の表示画面を図８に示したコピー動作中画面に戻すことができる。
【００７２】
図７〜図９に示した各操作画面において、略中央の上部に位置するメッセージエリアには、ジョブ番号が表示されている。
このジョブ番号はジョブ（コピー）を識別するための番号であり、コピーを予約する毎に「１」加算されていく。
【００７３】
なお、予約コピーモードとは、通常ジョブ（通常コピー）の実行中に操作部３０を開放して、次のジョブに対する操作入力を可能とし、通常ジョブのうち、原稿の画像情報の読み込み動作が終了した後、スキャナ５０およびＡＤＦ１を開放し、次のジョブ（予約ジョブ）の原稿の画像情報の読み込み動作を可能とする動作モードのことである。
【００７４】
図１０に示す操作画面はジョブ一覧画面（予約一覧画面）であり、現在実行中のジョブおよび予約ジョブの条件や動作状況を含む情報を一覧表示する。
このジョブ一覧画面は、液晶タッチパネル３１に図７の通常コピー条件設定画面あるいは図８のコピー動作中画面が液晶タッチパネル３１に表示されている時に、操作部３０のジョブ一覧キー４０を押下することにより、液晶タッチパネル３１に表示される。
【００７５】
ここで、ジョブ一覧画面における表示やキーについて説明する。
ジョブ一覧画面には、各ジョブ毎に「動作状況」「ジョブ番号」「原稿枚数」「セット枚数」「所要時間」が表示される。
「所要時間」は、ジョブ（コピー動作）が完了するまでの時間であり、原稿枚数，セット枚数（部数），転写紙サイズに基づいて計算されて表示される。
【００７６】
図１０のジョブ一覧画面においては、実行中（印刷中）のジョブの他に３つの予約ジョブが登録されている（別のジョブが予約されている）ことが示されている。
表示中の各ジョブの情報エリアはキーになっており、押下（タッチ）することで選択状態となり、白黒反転表示となる。この例では、予約ジョブ２が選択されている。
【００７７】
白黒反転表示となっている情報エリアを再押下すると、その白黒反転表示は通常の表示に解除され、非選択状態に戻る。
図１０のジョブ一覧画面において、ある予約ジョブが選択された後、その予約順を変更する（入れ替える）ための「前へ」キー２１１，「後へ」キー２１２、選択された予約ジョブの内容（条件）を変更するための内容変更キー２１３、選択された予約ジョブを削除する（取り消す）ための削除キー２１４が有効となる。
【００７８】
そして、「前へ」キー２１１を押下すると、選択されたジョブの予約順がひとつ繰り上がる。この例では、図１１に示すようになる。但し、印刷中のジョブより前に繰り上がることはしない。
また、「後へ」キー２１２を押下することにより、選択されたジョブの予約順がひとつ繰り下がる。
【００７９】
なお、各ジョブの予約順の入れ替えを繰り下げる方にのみ許可することもできる。この場合、ジョブ一覧画面に「前へ」キー２１１を表示しない。
内容変更キー２１３を押下すると、液晶タッチパネル３１の表示画面は、選択されたジョブの条件を変更するための図１２に示す予約待機中画面に移行し、その画面上のキー操作によってジョブ条件（コピーモード）を変更することができる。
【００８０】
図１２の予約待機中画面上の「一覧へ戻る」キー２２１を押下すると、液晶タッチパネル３１の表示画面は、図１０のジョブ一覧画面に戻る。
図１０のジョブ一覧画面上の削除キー２１４を押下すると、選択された予約ジョブが削除される。この例では、図１３に示すようになる。
【００８１】
図１０のジョブ一覧画面上の「戻る」キー２１５を押下すると、液晶タッチパネル３１の表示画面は、このジョブ一覧表示画面に切り替わる前のジョブに対応する操作画面に戻る。
通常ジョブの終了や予約ジョブの削除等により、このジョブ一覧表示画面に切り替わる前のジョブが存在しない場合は、印刷中のジョブに対応する操作画面に戻る。
【００８２】
通常ジョブのうち、スキャナ５０による原稿の画像情報の読み取りが終了した後、別のジョブが予約されている場合に、スキャナ５０による次の原稿の画像情報の読み取りが開始されて、その画像情報が画像メモリ６６に記憶され、通常ジョブが終了した後、画像メモリ６６に記憶された画像情報がプリンタ８０に出力されて印刷が行なわれる。この一連の動作を予約ジョブ（予約コピー動作）という。
【００８３】
図１４は、ユーザコード入力画面の一例を示す図である。
このユーザコード入力画面は、ユーザコードの入力待ちの画面であり、ユーザコードモードが設定されている場合、このデジタル複写機への電源投入後、ＣＰＵ６８により図３の操作部３０の液晶タッチパネル３１に表示される。
このユーザコード入力画面が表示されている時に、テンキー３２によってユーザコードを入力すると、ＣＰＵ６８により次のような処理が行なわれる。
【００８４】
すなわち、入力されたユーザコードと予め登録されているユーザコードとが比較され、その各ユーザコードが一致すると判定された場合にのみ、このデジタル複写機の使用が許可されて可能になり、液晶タッチパネル３１の表示画面が図７の通常ジョブ条件設定画面に切り替わり、任意のジョブ条件を設定することが可能になる。このとき、入力されたユーザコードがＲＡＭ７０に保持される。
【００８５】
その後、新規予約キー３９を押下した時にも、液晶タッチパネル３１にユーザコード入力画面が表示され、テンキー３２によってユーザコードを入力すると、上述と同様にその入力されたユーザコードと予め登録されているユーザコードとが比較され、その各ユーザコードが一致すると判定された場合にのみ、液晶タッチパネル３１の表示画面は図９の予約ジョブ条件設定画面に切り替わり、別の新たな条件でのジョブの予約を受け付け、そのジョブ条件を設定することが可能になる。
【００８６】
このとき、入力されたユーザコードがＣＰＵ６８により未使用のジョブ番号に対応付けられてＲＡＭ７０に保持される。例えば、ジョブ番号「００１」「００２」が使用され、次のジョブ番号「００３」が使用されていなければ、入力されたユーザコードがそのジョブ番号「００３」に対応付けられてＲＡＭ７０に保持される。
【００８７】
なお、ユーザコードモードが設定されている場合でも、このデジタル複写機への電源投入後、ＣＰＵ６８により図３の操作部３０の液晶タッチパネル３１に図７の通常ジョブ条件設定画面が直ちに表示されるようにし、新規予約キー３９が押下された時に液晶タッチパネル３１にユーザコード入力画面が表示されるようにすることもできる。
【００８８】
以下、このデジタル複写機の図１のＣＰＵ６８によるこの発明に直接係わる処理について、図１５以降の各図面を参照して具体的に説明する。
まず、ＣＰＵ６８によるこの発明に係わる処理の第１例について、図１５〜図１８を参照して説明する。
【００８９】
ＣＰＵ６８は、ユーザコードモードが設定されている場合、図３の操作部３０の液晶タッチパネル３１に図１５に示すジョブ一覧画面が表示されている状態で、例えばジョブ番号「００３」を含む情報エリアが押下されることによっても、液晶タッチパネル３１の表示画面を図１６に示すユーザコード入力画面に切り替える。
【００９０】
このユーザコード入力画面が表示されている時に、テンキー３２によってユーザコードが入力されると、その入力されたユーザコードとジョブ番号「００３」の予約ジョブの予約登録時に入力されたユーザコード（ＲＡＭ７０にジョブ番号「００３」に対応付けて保持したユーザコード）とを比較してその各ユーザコードが一致するか否かを判定し、一致した場合にのみジョブ番号「００３」の予約ジョブを選択する。
【００９１】
このとき、ジョブ番号「００３」を含む情報エリアを図１０に示したように白黒反転表示に切り替え、選択したジョブ番号「００３」の予約ジョブの予約順を変更するための「前へ」キー２１１，「後へ」キー２１２、その予約ジョブの条件を変更するための内容変更キー２１３、その予約ジョブを削除するための削除キー２１４が有効となる。
【００９２】
図１７，図１８は、ＣＰＵ６８によるこの発明に係わる処理（上述した処理の詳細）の第１例を示すフローチャートである。なお、これらの各図において、ステップを「Ｓ」と略記している。
【００９３】
ＣＰＵ６８は、ユーザコードモードが設定されている場合、操作部３０の液晶タッチパネル３１に図１５に示すジョブ一覧画面が表示された後、定期的に図示しないメインルーチンの呼び出しにより図１７，図１８の処理を開始し、まずステップ１でキー入力（キー操作）の有無をチェックして、キー入力がなければメインルーチンへリターンする。
【００９４】
キー入力があった場合は、ステップ２でそのキー入力がジョブ番号を含む情報エリアのキー（以後「ジョブ番号キー」ともいう）の押下であるか否かをチェックし、ジョブ番号キーの押下であればステップ３でその押下されたジョブ番号キーに対応する予約ジョブが選択されている（押下されたジョブ番号キーが白黒反転表示である）か否かをチェックする。
【００９５】
そして、押下されたジョブ番号キーに対応する予約ジョブが選択されている場合は、その選択を解除してそのジョブ番号キーの白黒反転表示を解除する処理（選択ジョブの反転解除）を行なってメインルーチンへリターンするが、そのジョブ番号キーに対応する予約ジョブが選択されていなければステップ４で液晶タッチパネル３１の表示画面をユーザコード入力画面に切り替え、ユーザコードの入力待ち状態にする。
【００９６】
このユーザコードの入力待ち状態時に、テンキー３２によってユーザコードが入力されると、ステップ５でそのユーザコードと先に押下されたジョブ番号キーのジョブ番号の予約ジョブの予約登録時に入力されたユーザコードとを比較してその各ユーザコードが一致するか否かを判定し、一致しなかった場合はそのままメインルーチンへリターンする。
【００９７】
入力されたユーザコードと先に押下されたジョブ番号キーのジョブ番号の予約ジョブの予約登録時に入力されたユーザコードが一致した場合は、ステップ６でそのジョブ番号の予約ジョブを選択してそのジョブ番号キーを白黒反転表示に切り替える処理（選択ジョブの反転表示）を行ない、メインルーチンへリターンする。
【００９８】
キー入力がジョブ番号キーの押下でない場合は、ステップ７でキー入力が内容変更キー２１３の押下であるか否かをチェックし、内容変更キー２１３の押下であればステップ８で選択されている予約ジョブ（選択ジョブ）があるかどうかをチェックして、その予約ジョブがなければメインルーチンへリターンする。
【００９９】
選択されている予約ジョブがある場合は、ステップ９で内容変更の処理を行なう。つまり、液晶タッチパネル３１の表示画面を図１２に示した予約待機中画面に切り替え、その画面上のキー操作によって選択されている予約ジョブの条件の変更を行なう。その条件変更が完了し、「一覧へ戻る」キー２２１が押下された時に、液晶タッチパネル３１の表示画面をジョブ一覧画面に戻し、メインルーチンへリターンする。
【０１００】
キー入力が内容変更キー２１３の押下でもない場合は、ステップ１０でキー入力が削除キー２１４の押下であるか否かをチェックし、削除キー２１４の押下であればステップ１１で選択されている予約ジョブがあるかどうかをチェックして、その予約ジョブがあればステップ１２で選択されている予約ジョブを削除する削除処理を行ない、メインルーチンへリターンする。
【０１０１】
キー入力が削除キー２１４の押下でもない場合は、ステップ１３でキー入力が「前へ」キー２１１の押下であるか否かをチェックし、「前へ」キー２１１の押下であればステップ１４で選択されている予約ジョブがあるかどうかをチェックして、その予約ジョブがあればステップ１５で移動処理（前）、つまり選択されているジョブの予約順をひとつ繰り上げる処理を行ない、メインルーチンへリターンする。
【０１０２】
キー入力が「前へ」キー２１１の押下でもない場合は、ステップ１６でキー入力が「後へ」キー２１２の押下であるか否かをチェックし、「後へ」キー２１２の押下であればステップ１７で選択されている予約ジョブがあるかどうかをチェックして、その予約ジョブがあればステップ１８で移動処理（後）、つまり選択されているジョブの予約順をひとつ繰り下げる処理を行ない、メインルーチンへリターンする。
【０１０３】
キー入力が「後へ」キー２１２の押下でもない場合、つまりキー入力が上記各キー以外のキーであれば、そのキー入力に応じた他の処理を行ない、メインルーチンへリターンする。
【０１０４】
このように、新たな予約ジョブを登録する時（通常ジョブの実行中に別のコピーを予約する時）に、ユーザコードの入力を行なわせると共に、登録後の予約ジョブを削除する時も、ユーザコードの入力を行なわせ、削除しようとしている予約ジョブの予約登録時に入力されたユーザコードと一致した場合にのみ、その予約ジョブの削除を許可することにより、異なるユーザコードに対応する予約ジョブを不用意に削除できないようにすることができる。
【０１０５】
また、登録後の予約ジョブの条件を変更する時も、ユーザコードの入力を行なわせ、条件を変更しようとしている予約ジョブの予約登録時に入力されたユーザコードと一致した場合にのみ、その予約ジョブの条件変更を許可することにより、異なるユーザコードに対応する予約ジョブの条件を不用意に変更できないようにすることができる。
【０１０６】
さらに、登録後の予約ジョブの予約順を変更する時も、ユーザコードの入力を行なわせ、予約順を変更しようとしている予約ジョブの予約登録時に入力されたユーザコードと一致した場合にのみ、その予約ジョブの予約順の変更を許可することにより、異なるユーザコードに対応する予約ジョブの予約順を不用意に変更できないようにすることができる。
【０１０７】
次に、ＣＰＵ６８によるこの発明に係わる処理の第２例について、図１９を参照して説明する。
図１９は、ＣＰＵ６８によるこの発明に係わる処理の第２例を示すフローチャートである。
【０１０８】
ＣＰＵ６８は、図１７に示した処理と同様の処理を行なうと共に、図１８に示した処理に代えて、図１９に示す処理を行なう。
図１９に示す処理では、図１８のステップ１３，１４，１５に相当する処理（「前へ」キー２１１による移動処理を含む）を行なわないようにしている。つまり、選択された予約ジョブ（予約された各コピー）の予約順の入れ替えを繰り下げる方にのみ許可している。
【０１０９】
このように、選択された予約ジョブの予約順の入れ替えを繰り下げる方にのみ許可することにより、他の予約ジョブによるコピー結果の取得の遅れを回避することができる。
【０１１０】
次に、ＣＰＵ６８によるこの発明に係わる処理の第３例について、図２０，図２１を参照して説明する。この場合、メインコントローラ２０，操作部３０，および画像処理ユニット４９内のＣＰＵ６８等が、この発明による各種の機能を実現することができる。
図２０は図１８の移動処理（前）のサブルーチンを、図２１は移動処理（後）のサブルーチンをそれぞれ示すフローチャートである。
【０１１１】
ＣＰＵ６８は、図１７および図１８によって説明した処理と略同様の処理を行なうが、ステップ１５，１８でそれぞれ図２０，図２１に示す処理を行なう。
すなわち、図２０の処理では、まずステップ２１で選択された予約ジョブが予約の先頭であるかどうかをチェックし、予約の先頭であれば何も処理しないで、メインルーチンへリターンする。
【０１１２】
選択された予約ジョブが予約の先頭でない場合は、ステップ２２でその一つ前の予約ジョブをチェックし、ステップ２３でそのチェック結果から選択された予約ジョブの予約登録時に入力されたユーザコードとその一つ前の予約ジョブの予約登録時に入力されたユーザコードとを比較してその各ユーザコードが一致する（同じ）か否かを判定し、一致した場合にはステップ２４で選択された予約ジョブとその一つ前の予約ジョブの予約順の入れ替えを行ない、メインルーチンへリターンする。
【０１１３】
選択された予約ジョブの予約登録時に入力されたユーザコードとその一つ前の予約ジョブの予約登録時に入力されたユーザコードが一致しなかった場合には、ステップ２５で更に前（この場合は選択された予約ジョブの二つ前）に予約ジョブがあるかどうか判断し、更に前に予約ジョブがあった場合にステップ２６で選択された予約ジョブの予約登録時に入力されたユーザコードと更に前の予約ジョブの予約登録時に入力されたユーザコードとを比較してその各ユーザコードが一致するか否かを判定する。
【０１１４】
そして、選択された予約ジョブの予約登録時に入力されたユーザコードと更に前の予約ジョブの予約登録時に入力されたユーザコードが一致した場合には、ステップ２４で選択された予約ジョブと更に前の予約ジョブの予約順の入れ替えを行なうが、一致しなかった場合にはステップ２５へ移行して上述と同様の判断と処理を繰り返し、更に前の予約ジョブがなくなればそのままメインルーチンへリターンする。
【０１１５】
一方、図２１の処理では、まずステップ３１で選択された予約ジョブが予約の最後であるかどうかをチェックし、予約の最後であれば何も処理しないで、メインルーチンへリターンするが、選択された予約ジョブが予約の最後でなければステップ３２でその一つ後の予約ジョブをチェックし、ステップ３３でそのチェック結果から選択された予約ジョブの予約登録時に入力されたユーザコードとその一つ後の予約ジョブの予約登録時に入力されたユーザコードとを比較してその各ユーザコードが一致するか否かを判定する。
【０１１６】
そして、選択された予約ジョブの予約登録時に入力されたユーザコードとその一つ後の予約ジョブの予約登録時に入力されたユーザコードが一致した場合には、ステップ３４で選択された予約ジョブとその一つ後の予約ジョブの予約順の入れ替えを行なってメインルーチンへリターンし、上記各ユーザコードが一致しなかった場合にはステップ３５で更に後（この場合は選択された予約ジョブの二つ後）に予約ジョブがあるかどうかを判断する。
【０１１７】
そして、更に後に予約ジョブがあった場合には、ステップ３６で選択された予約ジョブの予約登録時に入力されたユーザコードと更に後の予約ジョブの予約登録時に入力されたユーザコードとを比較してその各ユーザコードが一致するか否かを判定し、その各ユーザコードが一致した場合にはステップ３４で選択された予約ジョブと更に後の予約ジョブの予約順の入れ替えを行なうが、一致しなかった場合にはステップ３５へ移行して上述と同様の判断と処理を繰り返し、更に後の予約ジョブがなくなればそのままメインルーチンへリターンする。
【０１１８】
例えば、液晶タッチパネル３１に図２２に示すジョブ一覧画面が表示され、ジョブ番号「００２」の予約ジョブの予約登録時に入力されたユーザコードとジョブ番号「００４」の予約ジョブの予約登録時に入力されたユーザコードが一致している場合、ジョブ番号「００４」の予約ジョブが選択されている状態で「前へ」キー２１１が押下されると、図２３に示すように、ジョブ番号「００４」の予約ジョブとジョブ番号「００２」の予約ジョブの予約順の入れ替えを行なう。
【０１１９】
このように、選択された予約ジョブの予約順の入れ替えを同一のユーザコードに対してのみ許可するので、異なるユーザコードに対応する予約ジョブの予約順への影響を回避することができる。
【０１２０】
次に、ＣＰＵ６８によるこの発明に係わる処理の第４例について、図２４，図２５を参照して説明する。
図２４は、ＣＰＵ６８によるこの発明に係わる処理の第４例を示すフローチャートである。
【０１２１】
ＣＰＵ６８は、ユーザコードモードが設定されている場合、操作部３０の液晶タッチパネル３１に図７の通常ジョブ条件設定画面あるいは図８のコピー動作中画面が表示されている時に、ジョブ一覧キー４０が押下されると、メインルーチンの呼び出しにより図２４の処理を開始し、まずステップ４１で液晶タッチパネル３１の表示画面を図１４に示したユーザコード入力画面に切り替え、テンキー３２によるユーザコードの入力待ち状態にする。
【０１２２】
そして、テンキー３２によってユーザコードが入力された時に、その入力されたユーザコードと予約登録されている予約ジョブの予約登録時に入力されたユーザコードとを比較して、今回入力されたユーザコードがその予約登録時に入力されたユーザコードのいずれかと一致する（今回入力されたユーザコードが有効である）か否かを判定し、一致しなかった場合にはそのままメインルーチンへリターンする。
【０１２３】
また、今回入力されたユーザコードが予約登録されている予約ジョブの予約登録時に入力されたユーザコードのいずれかと一致した場合には、ステップ４４で液晶タッチパネル３１の表示画面を図２５に示すようなジョブ一覧画面に切り替える。
【０１２４】
このとき、今回入力された（一致した）ユーザコードに対応する予約ジョブの条件を示す情報エリアに対してのみ、認識可能な識別情報であるマーク（図２５では二重丸）を付与すると共に、その情報エリアをジョブ番号キーとして表示することにより、その情報エリアに対応する予約ジョブの選択を許可する。つまり、その予約ジョブの削除，条件変更，予約順入れ替えを許可する。
【０１２５】
なお、それらのいずれか一つ以上を許可するようにすることもできる。
また、ジョブ一覧表示画面には、入力されたユーザコードを表示しない。これは、そのユーザコードが他のユーザ（操作者）に容易に知られてしまうことを防ぐためである。
【０１２６】
ここで、図２５に示したジョブ一覧画面は、今回入力されたユーザコードがジョブ番号「００２」，「００４」の各予約ジョブの予約登録時に入力されたユーザコードと一致する場合の画面であり、ジョブ番号「００２」，「００４」をそれぞれ含む情報エリアに対してのみ、マーク（二重丸）が付与され、その各情報エリアがそれぞれジョブ番号キーとして表示されている。
【０１２７】
それによって、ジョブ番号「００２」ないし「００４」の予約ジョブのみが、対応するジョブ番号キーの押下によって選択することが可能となり、その選択された予約ジョブの削除，その条件変更，又は予約順入れ替えを行なうことができる。
【０１２８】
このように、新たな予約ジョブを登録する時に、ユーザコードの入力を行なわせると共に、登録した予約ジョブの条件を示すジョブ一覧画面への表示に移行させる時にも、ユーザコードの入力を行なわせ、そのジョブ一覧画面にその入力されたユーザコードに対応する予約ジョブの条件を示す情報エリアに対してのみ、認識可能な識別情報を付与することにより、各ユーザはそれぞれ自分が予約登録した予約ジョブの条件を容易に認識することができるので、入力されたユーザコードと異なるユーザコードに対応する予約ジョブ（他のユーザにより予約登録されたジョブ）に対する処理を行なわせるための操作を誤って行なってしまうことがほとんどなくなる。
【０１２９】
また、ジョブ一覧画面に表示される予約ジョブの条件を示す情報エリアのうち、入力されたユーザコードに対応する予約ジョブの条件を示す情報エリアをジョブ番号キーとして表示することにより、その情報エリアに対応する予約ジョブの選択を許可し、入力されたユーザコードと異なるユーザコードに対応する予約ジョブ（他のユーザにより予約登録されたジョブ）に対する処理（その予約ジョブの削除，条件変更，予約順入れ替え）を禁止することにより、各ユーザがそれぞれ他のユーザにより予約登録されたジョブに対する処理を行なわせるための操作を誤って行なってしまった場合でも、その処理が行なわれずに済む。
【０１３０】
以上、この発明をデジタル複写機に適用した実施形態について説明したが、この発明はこれに限らず、予約コピー機能を有するデジタル複合機等の各種画像形成装置に適用し得るものである。
【０１３３】
【発明の効果】
以上説明してきたように、この発明の画像形成装置によれば、通常のジョブの実行中に、予め登録されたユーザコードと一致するユーザコードの入力により別のジョブの予約を受け付け、別のジョブが予約された後、その予約時に入力されたユーザコードと一致するユーザコードが入力された時にのみ、その予約ジョブの予約順（実行順）の入れ替えを許可するので、異なるユーザコードに対応する予約ジョブの予約順を不用意に入れ替えてしまうことがなくなり、ユーザコード管理下においても予約されたジョブを正しく行なうことができる。
【０１３４】
また、上記予約ジョブの予約順の入れ替えを、上記予約時に入力されたユーザコードと同一のユーザコードを有するジョブ同士の入れ替えに対してのみ許可するので、異なるユーザコードに対応する予約ジョブの予約順への影響を回避することができる。
【図面の簡単な説明】
【図１】図５の画像処理ユニット（ＩＰＵ）４９の構成例を示すブロック図である。
【図２】この発明を実施するデジタル複写機の機構部の一例を示す概略構成図である。
【図３】図２に示したデジタル複写機の操作部の構成例を示すレイアウト図である。
【図４】図３の液晶タッチパネル３１に電源投入時に表示される通常ジョブ条件設定画面の一例を示す図である。
【図５】図２に示したデジタル複写機の制御系の構成例を示すブロック図である。
【図６】図１のセレクタ６４における１ページ分の画像データおよび制御信号の一例を示すタイミング図である。
【図７】図３の液晶タッチパネル３１に電源投入により表示される通常ジョブ条件設定画面の他の例を示す図である。
【図８】同じく図３のプリントキー３４押下時に表示されるコピー動作中画面の一例を示す図である。
【図９】同じく図３の新規予約キー３９押下時に表示される予約ジョブ条件設定画面の一例を示す図である。
【図１０】同じく図３のジョブ一覧キー４０押下時に表示されるジョブ一覧画面の一例を示す図である。
【図１１】同じく図１０の「前へ」キー２１１押下時に表示されるジョブ一覧画面の一例を示す図である。
【図１２】同じく図１０の内容変更キー２１３押下時に表示される予約待機中画面の一例を示す図である。
【図１３】同じく図１０の削除キー２１４押下時に表示されるジョブ一覧画面の一例を示す図である。
【図１４】同じくユーザコードモード設定時に電源投入により表示されるユーザコード入力画面の一例を示す図である。
【図１５】同じく図３のジョブ一覧キー４０押下時に表示されるジョブ一覧画面の他の例を示す図である。
【図１６】同じく図１５のジョブ番号「００３」を含む情報エリアの押下時に表示されるユーザコード入力画面の一例を示す図である。
【図１７】  図１のＣＰＵ６８によるこの発明に係わる処理の第１例を示すフロー図である。
【図１８】その続きを示すフロー図である。
【図１９】  同じくこの発明に係わる処理の第２例を示すフロー図である。
【図２０】  この発明に係わる処理の第３例である図１８の移動処理（前）のサブルーチンを示すフロー図である。
【図２１】同じく移動処理（後）のサブルーチンを示すフロー図である。
【図２２】図３の液晶タッチパネル３１にジョブ一覧キー４０押下時に表示されるジョブ一覧画面の更に他の例を示す図である。
【図２３】図２２のジョブ番号「００２」「００４」の予約ジョブの予約登録時にそれぞれ入力された各ユーザコードが一致している場合にジョブ番号「００４」の予約ジョブが選択されている状態で「前へ」キーが押下された時に表示されるジョブ一覧画面を示す図である。
【図２４】  図１のＣＰＵ６８によるこの発明に係わる処理の第４例を示すフロー図である。
【図２５】図３の液晶タッチパネル３１にジョブ一覧キー４０押下時に表示されるジョブ一覧画面の更に他の例を示す図である。
【符号の説明】
２０：メインコントローラ  ３０：操作部
３１：液晶タッチパネル    ３２：テンキー
３４：プリントキー        ３９：新規予約キー
４０：ジョブ一覧キー      ４９：画像処理ユニット
５０：スキャナ            ６５：メモリコントローラ
６６：画像メモリ          ６８：ＣＰＵ
６９：ＲＯＭ              ７０：ＲＡＭ
２０１：解除キー          ２１１：「前へ」キー
２１２：「後へ」キー      ２１３：内容変更キー
２１４：削除キー          ２１５：「戻る」キー
【図１】
0004037997.tif 000002
【図２】
0004037997.tif 000003
【図３】
0004037997.tif 000004
【図４】
0004037997.tif 000005
【図５】
0004037997.tif 000006
【図６】
0004037997.tif 000007
【図７】
0004037997.tif 000008
【図８】
0004037997.tif 000009
【図９】
0004037997.tif 000010
【図１０】
0004037997.tif 000011
【図１１】
0004037997.tif 000012
【図１２】
0004037997.tif 000013
【図１３】
0004037997.tif 000014
【図１４】
0004037997.tif 000015
【図１５】
0004037997.tif 000016
【図１６】
0004037997.tif 000017
【図１７】
0004037997.tif 000018
【図１８】
0004037997.tif 000019
【図１９】
0004037997.tif 000020
【図２０】
0004037997.tif 000021
【図２１】
0004037997.tif 000022
【図２２】
0004037997.tif 000023
【図２３】
0004037997.tif 000024
【図２４】
0004037997.tif 000025
【図２５】
0004037997.tif 000026